(57)【要約】【課題】            従来の構成にあっては、特に全閉時にあって波動によって位置変動するフロートの影響を受け、弁体が微妙に開閉動作をしてしまい、精度のよい制御を行なうことができなかったという点である。【解決手段】        フロート式水位調整弁は支持ロッドの下方に水位の変動に追従するフロートを貫通して備え、そのフロートの上下に抜け止め部材を備え、支持ロッドの上端位置に基端を枢支した梃子レバーを備え、その梃子レバーの先端に弁箱内で昇降もしくは回転する弁体を備えて弁箱内の流路を開閉するフロート式水位調整弁において、抜け止め部材のうち、少なくとも下側はフロートに対して遊び間隔を隔てて備えられていることとし、支持ロッドの下方にはネジが刻設され、抜け止め部材はそのネジに螺合されるナットとし、前記遊び間隔の距離を調整可能としてあることとする。【選択図】          図１
2006329385.tif 000002
【特許請求の範囲】
【請求項１】
支持ロッドの下方に水位の変動に追従するフロートを貫通して備え、そのフロートの上下に抜け止め部材を備え、前記支持ロッドの上端位置に基端を枢支した梃子レバーを備え、その梃子レバーの先端に弁箱内で昇降もしくは回転する弁体を備えて弁箱内の流路を開閉するフロート式水位調整弁において、前記した抜け止め部材のうち、少なくとも下側はフロートに対して遊び間隔を隔てて備えられていることを特徴とするフロート式水位調整弁。
【請求項２】
前記した支持ロッドの下方にはネジが刻設され、前記した抜け止め部材はそのネジに螺合されるナットとし、前記遊び間隔の距離を調整可能としてあることを特徴とする請求項１に記載のフロート式水位調整弁。
【発明の詳細な説明】
【技術分野】
【０００１】
本発明はフロート式水位調整弁、特に貯水槽に設けたフロートの昇降に応じて弁体を開閉作動させ、給水管からその貯水槽内に入る水量を制御して水位を調整するフロート式水位調整弁の改良に関する。
【背景技術】
【０００２】
一般的に上記したフロート式水位調整弁は、水位の上下変動するフロートにレバーやリンク機構を連結し、そのレバーやリンク機構の端部に弁体を接続して、フロートの動きに応じその弁体を追動させることで給水管に通じる流路の開閉を行ない、貯水槽内へ入る水量を制御する構成となっている。
【０００３】
しかしながら、前記フロートとレバーやリンク機構との接続個所はガタ付きが生じないよう固定状態となっているので、給水管からの流入水や風、雨等の影響によって貯水の水面には波が生じることがあり、その波の動きにもフロートは追動することとなるので、フロートに連結されている弁体も微妙に開閉動作をしてしまい、精度のよい制御を行なうことが困難となっていた。
【０００４】
この点について、出願人が示す特許文献には、フロートを断面船形のものとし、そのフロートにリンク機構を介し、弁体と連結するものとし、そのリンク機構に長孔とピンの係合連結を行なって、波動によるフロートの動きを前記長孔で吸収し、弁体には影響がないように図ったものが記載されている。
【０００５】
しかしながら、この特許文献に記載されている構成にあっては、リンク機構が非常に複雑なものとなって生産コストが高くなり、メンテナンスも面倒なものとなる。また、ピンは長孔の内面に当接し、摺接することとなるので、常に長孔の長手方向に沿った動きのみとは限らず、長孔の長手方向と交差する方向にピンの摺接力が加われば、その力は結局リンク機構に伝達され、弁体に影響を及ぼしてしまうこととなり、完全に弁体の動作を波動によるフロートの動きと無関係としてしまうことはできないものとなっている。
【特許文献１】特開２００２−９８２５６号公報
【発明の開示】
【発明が解決しようとする課題】
【０００６】
本発明が解決しようとする問題点は、従来の構成にあっては、特に全閉時にあって波動によって位置変動するフロートの影響を受け、弁体が微妙に開閉動作をしてしまい、精度のよい制御を行なうことができなかったという点である。
【課題を解決するための手段】
【０００７】
上記した問題点を解決するために、本発明に係るフロート式水位調整弁は支持ロッドの下方に水位の変動に追従するフロートを貫通して備え、そのフロートの上下に抜け止め部材を備え、前記支持ロッドの上端位置に基端を枢支した梃子レバーを備え、その梃子レバーの先端に弁箱内で昇降もしくは回転する弁体を備えて弁箱内の流路を開閉するフロート式水位調整弁において、前記した抜け止め部材のうち、少なくとも下側はフロートに対して遊び間隔を隔てて備えられていることを特徴とし、前記した支持ロッドの下方にはネジが刻設され、前記した抜け止め部材はそのネジに螺合されるナットとし、前記遊び間隔の距離を調整可能としてあることを特徴としている。
【発明の効果】
【０００８】
本発明に係るフロート式水位調整弁は上記のように構成されている。そのため、下側の抜け止め部材とフロートとの間に遊び間隔が形成され、波動によるフロートの動きはこの遊び間隔によって吸収してしまい、そのフロートの動きが弁体に対して影響を与えてしまうことがなくなり、精度のよい制御を完全に実行することができることとなる。
【発明を実施するための最良の形態】
【０００９】
図面として示す実施例のように構成することで実現した。
【実施例１】
【００１０】
次に、本発明の好ましい実施の例を図１及び図２を参照して説明する。図１は上下方向に昇降する弁体を用いた場合を示す概略構成図、図２は回転する弁体を用いた場合を示す概略構成図である。
【００１１】
まず、図１にあって１は球状をしたフロートを示しており、このフロート１はその中心に設けられた挿通孔に支持ロッド７の下端部分が貫通されている。フロート１は比重が水より軽ければ素材は問わないが、ここでは腐食や錆等を考慮して中空のプラスチックを想定しており、前記した挿通孔にも外形を形成した素材と同一の素材によって内壁が一体に形成され、フロート１内に水が浸入することはないものとしてある。
【００１２】
また、前記した支持ロッド７の上端近くの位置にはレバー桿２の一端がピン８によって枢支されている。レバー桿２の他端には弁体３の上面に連結された弁棒９の上端がピン８によって枢着されている。尚、図中１０は弁箱６に立設されたレバー桿２の支点桿でピン８によってその上端がレバー桿２の弁棒９寄りの位置で枢支されている。
【００１３】
前記した弁箱６における水の流路はエルボ形となっており、流入口６ａから流出口６ｂへ通水され、その流出口６ｂは給水管に接続されて貯水槽内へ水を供給する。図１に示す状態は弁体３が環状のストッパ５と当接した全閉状態となっており、水位（Ｈ、Ｗ、Ｌ）は設定された最高位となっている。
【００１４】
一方、前記した支持ロッド７にはフロート１の上部と下部に対応して抜け止め部材４ａ、４ｂが備えられている。抜け止め部材４ａはフロート１が支持ロッド７に沿って必要以上に上昇してしまうことを抑え、抜け止め部材４ｂはフロート１が支持ロッド７から抜け落ちることと、必要以上に下降してしまうことを防止している。
【００１５】
また、前記した抜け止め部材４ｂはフロート１との間に、想定される波高に対応できる遊び間隔１１を形成して備えられたものとなっている。支持ロッド７に抜け止め部材４ａ、４ｂをリング体として支持ロッドに嵌め合せネジで側方から押えることで特に下方となる抜け止め部材４ｂの位置を変え、遊び間隔１１の距離を自在に調整することができる。
【００１６】
次に、図２に示す場合にはフロート１ａは直方体のものが使用され、そのフロート１ａの中心に設けられた挿通孔に支持ロッド７ａの下端部分が貫通されている。このフロート１ａも中空のプラスチックを想定しており、挿通孔には内壁が一体に形成された構成としている。
【００１７】
支持ロッド７ａの上端寄り部分にはピン８によってレバー桿２ａの一端が枢支されており、そのレバー桿２ａの他端は回転弁体３ａの弁軸と弁箱１２の外部においてボルト等の固定要素１３により固定連結されている。この弁箱１２における流路はストレートなものとされ、流入口１２ａから流入した水は流出口１２ｂから流出され給水管を介して貯水槽内に流入される。尚、図中５ａ、５ａはレバー桿２ａの動きを規制する、弁箱１２の外表面に突出されたストッパを示している。
【００１８】
この支持ロッド７ａにもフロート１ａの上下部分に抜け止め部材４ａ、４ｂが前述と同様に備えられており、フロート１ａと下方の抜け止め部材４ｂとの間には、やはり、想定される波高に相当する距離の遊び間隔１１ａが設けられている。
【００１９】
本実施例に係るフロート式水位調整弁は上記のように構成されている。水位が下がると、それに伴なってフロート１、１ａは下降し、支持ロッド７、７ａも同期して下降する。この支持ロッド７、７ａの下降によってレバー桿２、２ａが枢動され、そのレバー桿２、２ａの先端に連結されている弁体３、３ａが上昇あるいは回転して弁箱６あるいは１２の流路を開放することとなる。
【００２０】
また、特に弁体３、３ａの全閉時、即ち最高水位を保持している状態にあって波動が生じると、フロート１、１ａの上方への動きはストッパ５、５ａ及び上部の抜け止め部材４ａによって抑えるが、フロート１、１ａの下方への動きは遊び間隔１１、１１ａの存在によって、フロート１、１ａのみの空動作となり、この動きが弁体３、３ａに伝達されてしまうことはない。
【００２１】
さらに、本実施例の構成によると、フロート１、１ａが波動によって横方向へ力を受け揺動しても、その動きは支持ロッド７、７ａとレバー桿２、２ａとの枢支点（ピン）８により吸収することができ、弁体３、３ａに影響を与えることはない。
【産業上の利用可能性】
【００２２】
本発明に係るフロート式水位調整弁は上述したように構成されている。この本発明は上記した実施例に限られることなく、遊び間隔を設けてフロート下方の抜け止め部材を備えれば達成できるので、この抜け止め部材として支持ロッドの径より細径の挿通孔を有するゴムリングや支持ロッドの軸芯方向に略直交するピン材や突子等で代替することもでき、あるいは当初より支持ロッドに抜け止め部となる突起や膨出部を一体に形成しており、二つの抜け止め部間に分割形成したフロートを支持ロッドを挟むように接合させて装着させる等の構成とすることも可能となる。
【図面の簡単な説明】
【００２３】
【図１】上下方向に昇降する弁体を用いた場合を示す概略構成図である。
【図２】回転する弁体を用いた場合を示す概略構成図である。
【符号の説明】
【００２４】
１      フロート
１ａ    フロート
２      レバー桿
２ａ    レバー桿
３      弁体
３ａ    弁体
４ａ    上部の抜け止め部材
４ｂ    下部の抜け止め部材
５      環状ストッパ
５ａ    ストッパ
６      弁箱
６ａ    流入口
６ｂ    流出口
７      支持ロッド
７ａ    支持ロッド
８      ピン
９      弁棒
１０    支点桿
１１    遊び間隔
１１ａ  遊び間隔
１２    弁箱
１２ａ  流入口
１２ｂ  流出口
【図１】
2006329385.tif 000003
【図２】
2006329385.tif 000004